(57)【特許請求の範囲】
【請求項１】
車両の各車輪に装着し制動力を付与するホイールシリンダと、ブレーキペダルの操作に応じてブレーキ液を昇圧しマスタシリンダ液圧を出力するマスタシリンダと、該マスタシリンダと前記ホイールシリンダとの間に介装し前記車両の運転状態に応じてブレーキ液を給排し前記ホイールシリンダのブレーキ液圧を調整するモジュレータと、該モジュレータを介して前記ホイールシリンダから排出したブレーキ液を貯蔵する補助リザーバと、該補助リザーバ内のブレーキ液及び前記マスタシリンダ内のブレーキ液を吸い込み前記モジュレータを介して前記ホイールシリンダに対し昇圧したブレーキ液を吐出する液圧ポンプとを備えた車両の液圧制御装置において、前記液圧ポンプの吐出ブレーキ液圧を受圧する第１の受圧部と、該第１の受圧部が受圧するブレーキ液圧に抗する方向にブレーキ液圧を受圧する第２の受圧部を有し、該第２の受圧部及び前記第１の受圧部の受圧面積が等しい弁部材を具備した弁装置であって、常時は前記液圧ポンプから前記マスタシリンダへのブレーキ液の流れを禁止し、前記弁部材に対する前記液圧ポンプの吐出ブレーキ液圧が所定値を超えたときに前記液圧ポンプから前記マスタシリンダへのブレーキ液の流れを許容する弁装置を備え、前記弁部材の前記第２の受圧部が前記補助リザーバ内のブレーキ液圧を受圧するように構成したことを特徴とする車両の液圧制御装置。
【請求項２】
前記弁装置が、少くとも第１の液室と第２の液室を隣接して郭成するハウジングと、該ハウジングに配設し前記液圧ポンプの吐出側に連通すると共に前記第１の液室に開口する弁座を備え、前記弁部材が、前記第１の液室内で前記弁座に着座可能に配設する弁体を一端に具備すると共に、前記弁体の前記弁座への着座部の面積と等しい断面積を有する支持部を他端に具備して成り、該支持部を前記第１の液室と前記第２の液室との間の前記ハウジングに摺動自在に支持し、前記弁体が前記弁座に着座する方向に前記弁部材を付勢する付勢手段を設け、前記第１の液室を前記マスタシリンダに連通接続し、前記第２の液室を前記補助リザーバに連通接続することを特徴とする請求項１記載の車両の液圧制御装置。
【発明の詳細な説明】
【０００１】
【発明の属する技術分野】
本発明は、車両の液圧制御装置に関し、特に、マスタシリンダとホイールシリンダとの間にモジュレータを介装し、このモジュレータを介してホイールシリンダのブレーキ液を排出し補助リザーバに貯蔵すると共に、液圧ポンプによって補助リザーバ内のブレーキ液及びマスタシリンダのブレーキ液を吸い込みモジュレータを介してホイールシリンダに吐出するブレーキ液圧制御装置に係る。
【０００２】
【従来の技術】
近時の車両は、アンチスキッド制御をはじめ、トラクション制御、前後制動力配分制御等、種々の制御を行なう装置が搭載されている。更に、車両の運動特性を制御する手段として、ブレーキペダルの操作に起因した制動状態にあるか否かに拘らず各車輪に対して制動力を付与し、所謂制動操舵制御によってオーバーステア抑制制御及びアンダーステア抑制制御を行なう装置も提案されている。これらの制御に供する液圧制御装置としては種々の態様があるが、マスタシリンダとホイールシリンダとの間にモジュレータを介装し、これを介してホイールシリンダのブレーキ液を排出し補助リザーバに貯蔵すると共に、液圧ポンプによって補助リザーバ内のブレーキ液及びマスタシリンダのブレーキ液を吸い込みモジュレータを介してホイールシリンダに吐出する液圧制御装置が、簡便な装置として利用されている。
【０００３】
例えば、ブレーキペダルの非操作時に加速スリップが生じたとき、駆動輪に対する制動力を制御するトラクション制御（ＴＲＣ）装置に関し、これに供する液圧制御装置が特開昭６４−７４１５３号公報に開示されている。同公報の第３図には、所謂還流式のアンチスキッド制御（ＡＢＳ）回路に一個のＴＲＣ切替弁を接続した例が開示されている。
【０００４】
そして、このような液圧制御装置には、液圧ポンプからホイールシリンダに吐出されるブレーキ液圧に所定の制限を加えるため、通常、リリーフ弁が設けられている。例えば、実開平２−１０２８６７号公報には、アンチロックブレーキ装置に供されるリリーフ弁の構造が開示されている。このアンチロックブレーキ装置は、液圧ポンプの吐出流をパワーステアリングギヤに供給する回路の途中にレギュレータ弁を介装し、ブレーキ液圧回路の途中にアクチュエータを介装するもので、リリーフ弁はパワー液圧が所定値以上となったときにレギュレータ弁の液室に導く旨記載されている。そして、このリリーフ弁においては、弁部材の径とシート部材のシート面の有効径とが同径とされている。
【０００５】
【発明が解決しようとする課題】
上記特開昭６４−７４１５３号公報の第３図に記載の液圧制御装置は、ブレーキペダルが非操作時にＡＢＳ回路が制御されるものであるが、このＡＢＳ回路をブレーキペダルの操作、非操作に拘らず制御可能に構成することとすれば、トラクション制御に留まらず前述の制動操舵制御も可能となり、ひいては車両の運動制御が可能となる。
【０００６】
上記のような液圧制御装置において、液圧ポンプから吐出されるブレーキ液圧が所定値を超えたときには、前述のようにリリーフ弁によってマスタシリンダにブレーキ液を還流するように構成される。図３はこのリリーフ弁の一例を示すもので、液圧ポンプの吐出ブレーキ液圧がパワーポート１ａを介して弁体３ａに付与され、この圧力がスプリング３ｓの付勢力を上回ると弁体３ａが弁座４から離れ、ブレーキ液はリリーフポート１ｃを介してマスタシリンダに戻される。このとき、弁体３ａのシール径（前述のシート面の有効径に相当）と支持部３ｂの外径が等しい値に設定され、支持部３ｂには大気圧が付与されるように構成され、その結果弁部材３に付与されるマスタシリンダ液圧が相殺されるように構成される。これにより、弁部材３はマスタシリンダ液圧の変化に影響されることなく、パワーポート１ａからの液圧ポンプの吐出ブレーキ液圧が所定値を超えれば開弁することとなる。
【０００７】
然し乍ら、このようなリリーフ弁においては、弁部材の支持部が外部に露出しているため、支持部のシール６部分に異物が侵入するおそれがある。これを防止するためには防水、防塵構造とすればよいが、コストアップとなる。また、万一シール部分が損傷し、ここからブレーキ液が漏洩するとマスタシリンダに必要なブレーキ液の量が不足するおそれもある。
【０００８】
実開平２−１０２８６７号公報に記載の装置は前述の液圧制御装置とは基本的な構成を異にするので、同公報に記載のリリーフ弁をそのまま前述の液圧制御装置に適用することは困難である。しかも、同公報に記載のリリーフ弁においても、万一弁体支持部のシール性が損なわれるとマスタシリンダに必要なブレーキ液の量が不足するおそれがある。
【０００９】
そこで、本発明は、マスタシリンダとホイールシリンダとの間にモジュレータを介装し、このモジュレータを介してホイールシリンダのブレーキ液を排出し補助リザーバに貯蔵すると共に、液圧ポンプによって補助リザーバ内のブレーキ液及びマスタシリンダのブレーキ液を吸い込みモジュレータを介してホイールシリンダに吐出する車両の液圧制御装置に関し、液圧ポンプの吐出ブレーキ液圧が所定値を超えたときには、マスタシリンダ液圧の変化に左右されることなく確実にマスタシリンダにブレーキ液を戻し得ると共に、取付け部の環境に影響されることなく、常に適切な作動を確保し得る液圧制御装置を提供することを課題とする。
【００１０】
【課題を解決するための手段】
上記の課題を解決するため、本発明は、車両の各車輪に装着し制動力を付与するホイールシリンダと、ブレーキペダルの操作に応じてブレーキ液を昇圧しマスタシリンダ液圧を出力するマスタシリンダと、該マスタシリンダと前記ホイールシリンダとの間に介装し前記車両の運転状態に応じてブレーキ液を給排し前記ホイールシリンダのブレーキ液圧を調整するモジュレータと、該モジュレータを介して前記ホイールシリンダから排出したブレーキ液を貯蔵する補助リザーバと、該補助リザーバ内のブレーキ液及び前記マスタシリンダ内のブレーキ液を吸い込み前記モジュレータを介して前記ホイールシリンダに対し昇圧したブレーキ液を吐出する液圧ポンプとを備えた車両の液圧制御装置において、前記液圧ポンプの吐出ブレーキ液圧を受圧する第１の受圧部と、該第１の受圧部が受圧するブレーキ液圧に抗する方向にブレーキ液圧を受圧する第２の受圧部を有し、該第２の受圧部及び前記第１の受圧部の受圧面積が等しい弁部材を具備した弁装置であって、常時は前記液圧ポンプから前記マスタシリンダへのブレーキ液の流れを禁止し、前記弁部材に対する前記液圧ポンプの吐出ブレーキ液圧が所定値を超えたときに前記液圧ポンプから前記マスタシリンダへのブレーキ液の流れを許容する弁装置を備え、前記弁部材の前記第２の受圧部が前記補助リザーバ内のブレーキ液圧を受圧するように構成したものである。
【００１１】
前記車両の液圧制御装置において、前記弁装置は、請求項２に記載のように、少くとも第１の液室と第２の液室を隣接して郭成するハウジングと、該ハウジングに配設し前記液圧ポンプの吐出側に連通すると共に前記第１の液室に開口する弁座を備えたものとし、前記弁部材は、前記第１の液室内で前記弁座に着座可能に配設する弁体を一端に具備すると共に、前記弁体の前記弁座への着座部の面積と等しい断面積を有する支持部を他端に具備して成り、該支持部を前記第１の液室と前記第２の液室との間の前記ハウジングに摺動自在に支持し、前記弁体が前記弁座に着座する方向に前記弁部材を付勢する付勢手段を設け、前記第１の液室を前記マスタシリンダに連通接続し、前記第２の液室を前記補助リザーバに連通接続するとよい。
【００１２】
【発明の実施の形態】
以下、本発明の望ましい実施形態を図面を参照して説明する。図１は本発明の液圧制御装置の一実施形態を示すもので、所謂ダイアゴナル配管の液圧系が構成されている。マスタシリンダＭＣはタンデム型のマスタシリンダで、二つの圧力室が夫々各ブレーキ液圧系統に接続されている。即ち、第１の圧力室ＭＣａは車輪ＦＲ，ＲＬ側のブレーキ液圧系統に連通接続され、第２の圧力室ＭＣｂはその他の車輪側のブレーキ液圧系統に連通接続される。尚、図１では第１の圧力室ＭＣａに接続される側の液圧系統のみに符号を付し、第２の圧力室ＭＣｂに接続される側は実質的に同様であるので符号を省略している。
【００１３】
図１において、車輪ＦＲは運転席からみて前方右側の車輪、車輪ＲＬは後方左側の車輪、車輪ＦＬは前方左側の車輪、車輪ＲＲは後方右側の車輪を夫々示しており、車輪ＦＲ，ＲＬ，ＦＬ，ＲＲに夫々ホイールシリンダＷｆｒ，Ｗｒｌ，Ｗｆｌ，Ｗｒｒが装着されている。そして、ブレーキペダルＢＰの操作に応じてバキュームブースタＶＢを介してマスタシリンダＭＣが倍圧駆動され、低圧リザーバＬＲＳ内のブレーキ液が昇圧されて各液圧系統にマスタシリンダ液圧が出力されるように構成されている。
【００１４】
マスタシリンダＭＣの第１の圧力室ＭＣａは主液圧路ＭＦ及びその分岐液圧路ＭＦｆ，ＭＦｒを介して夫々ホイールシリンダＷｆｒ，Ｗｒｌに接続されている。主液圧路ＭＦには一対の２ポート２位置電磁開閉弁ＳＣ１及びＳＣ２（以下、単に開閉弁ＳＣ１，ＳＣ２という）が介装されている。分岐液圧路ＭＦｆ，ＭＦｒには夫々、常開型の２ポート２位置電磁開閉弁ＰＣ１及びＰＣ２（以下、単に開閉弁ＰＣ１，ＰＣ２という）が介装されており、これらと並列に夫々逆止弁ＣＶ１，ＣＶ２が介装されている。また、ホイールシリンダＷｆｒ，Ｗｒｌに連通接続される排出側の分岐液圧路ＲＦｆ，ＲＦｒに、夫々常閉型の２ポート２位置電磁開閉弁ＰＣ３，ＰＣ４（以下、単に開閉弁ＰＣ３，ＰＣ４という）が介装されており、分岐液圧路ＲＦｆ，ＲＦｒが合流した液圧路ＲＦは補助リザーバＰＲＳに接続されている。
【００１５】
逆止弁ＣＶ１，ＣＶ２は、マスタシリンダＭＣ方向へのブレーキ液の流れを許容しホイールシリンダＷｆｒ，Ｗｒｌ方向へのブレーキ液の流れを阻止するもので、これらの逆止弁ＣＶ１，ＣＶ２及び開位置の開閉弁ＳＣ１を介してホイールシリンダＷｆｒ，Ｗｒｌ内のブレーキ液がマスタシリンダＭＣ、そして低圧リザーバＬＲＳに戻されるように構成されている。而して、ブレーキペダルＢＰが解放されたときに、ホイールシリンダＷｆｒ，Ｗｒｌ内の液圧はマスタシリンダＭＣ側の液圧低下に迅速に追従し得る。
【００１６】
本実施形態の車輪ＦＲ，ＲＬ側の液圧系統においては、上記開閉弁ＰＣ１及びＰＣ３によって第１のモジュレータが構成され，開閉弁ＰＣ２及びＰＣ４によって第２のモジュレータが構成されている。また、開閉弁ＰＣ１，ＰＣ２の上流側で分岐液圧路ＭＦｆ，ＭＦｒに連通接続される液圧路ＰＦには、液圧ポンプＬＰと、その吸込側に接続された逆止弁ＣＶ３，ＣＶ５と、吐出側に接続された逆止弁ＣＶ４と、容積室を郭成するダンパＤＰが設けられている。
【００１７】
逆止弁ＣＶ３，ＣＶ５は液圧ポンプＬＰ方向へのブレーキ液の流れを許容し逆方向の流れを阻止するもので、逆止弁ＣＶ４は吐出方向（開閉弁ＰＣ１，ＰＣ２方向）へのブレーキ液の流れを許容し逆方向の流れを阻止するものである。二つの液圧系統の各々に配設される一対の液圧ポンプＬＰは一つの電動モータＭによって駆動され、何れも吸込側からブレーキ液を導入し所定の圧力に昇圧して吐出側から出力するように構成されており、電動モータＭの起動後は一対の液圧ポンプＬＰが連続して駆動される。
【００１８】
補助リザーバＰＲＳは、マスタシリンダＭＣの低圧リザーバＬＲＳとは独立して設けられるもので、後述する種々の制御に必要な容量のブレーキ液を貯蔵し得るように構成されている。この補助リザーバＰＲＳはピストンとスプリングを備え、アキュムレータということもできるが、ホイールシリンダ液圧を減圧する際にホイールシリンダ内のブレーキ液を一時的に貯蔵するもので小容量であり、また補助リザーバＰＲＳ内の圧力は、通常、氷上等の滑り易い路面でも車輪がロックしない程度の数気圧以下となるように設定されている。そして、補助リザーバＰＲＳは前述のように液圧路ＲＦに連通接続されると共に、逆止弁ＣＶ３，ＣＶ５を介して液圧ポンプＬＰの吸込側に連通接続されている。
【００１９】
一方、開閉弁ＳＣ１は常開の電磁開閉弁で、マスタシリンダＭＣと開閉弁ＰＣ１，ＰＣ２との間に介装されている。これに対し、開閉弁ＳＣ２は常閉の電磁開閉弁で、マスタシリンダＭＣに接続されると共に、液圧路ＭＦｃによって逆止弁ＣＶ３を介して液圧ポンプＬＰに連通接続されている。更に、開閉弁ＳＣ１に並列に、後述のリリーフ弁ＲＶと、所定の圧力差以上で開弁して開閉弁ＰＣ１，ＰＣ２方向へのブレーキ液の流れを許容し逆方向の流れを阻止するリリーフ弁ＡＶが介装されている。リリーフ弁ＲＶは、液圧ポンプＬＰから吐出されるブレーキ液圧が所定値を超えたときに、マスタシリンダＭＣを介して低圧リザーバＬＲＳにブレーキ液を還流するもので、これにより液圧ポンプＬＰの吐出ブレーキ液圧が所定値以下の圧力に制限される。
【００２０】
上記の開閉弁ＳＣ１，ＳＣ２並びに開閉弁ＰＣ１乃至ＰＣ４は電子制御装置ＥＣＵによって駆動制御され、アンチスキッド制御のみならず、制動操舵制御を初めとする各種制御が行なわれる。例えば、車両が旋回運動中において、過度のオーバーステアと判定されたときには、例えば旋回外側の前輪に制動力が付与され、車両に対し外向きのヨーモーメント、即ち車両を旋回外側に向けるヨーモーメントが生ずるように制御される。これをオーバーステア抑制制御と呼び、安定性制御とも呼ばれる。また、車両が旋回運動中に過度のアンダーステアと判定されたときには、本実施形態のように後輪駆動車の場合、旋回外側の前輪及び後二輪に制動力が付与され、車両に対し内向きのヨーモーメント、即ち車両を旋回内側に向けるヨーモーメントが生ずるように制御される。これはアンダーステア抑制制御と呼び、コーストレース性制御とも呼ばれる。そして、オーバーステア抑制制御とアンダーステア抑制制御は制動操舵制御と総称される。尚、電子制御装置ＥＣＵは、バスを介して相互に接続されたプロセシングユニット、メモリ、入出力ポート等から成るマイクロコンピュータ（図示せず）を備えている。
【００２１】
本発明の弁装置を構成するリリーフ弁ＲＶは、図２に拡大して示すように、そのハウジング１０に小径孔１１及び大径孔１２から成る段付孔が形成されると共に、小径孔１１に連通するパワーポート１３及びリリーフポート１４、並びに大径孔１２に連通するリザーバポート１５が形成されている。そして、図１に示すように、パワーポート１３は液圧路ＰＦを介して液圧ポンプＬＰに連通接続され、リリーフポート１４は主液圧路ＭＦを介してマスタシリンダＭＣに連通接続され、リザーバポート１５は液圧路ＲＦを介して補助リザーバＰＲＳに連通接続される。尚、図２は図１と左右対称に表している。
【００２２】
小径孔１１には、弁部材３０等が装着された状態でシリンダ２０が嵌合される。シリンダ２０には、一端が開放端の段付孔２１が形成されると共に、その他端側に小径の連通孔２２が形成され、この連通孔２２に連続して凹部２３が形成されている。更に、シリンダ２０の外周面に環状の溝２４が形成されると共に、径方向に連通孔２５が形成されている。溝２４はリリーフポート１４に対向する位置に形成されており、段付孔２１は連通孔２５を介して溝２４に連通し、更にリリーフポート１４に連通する。
【００２３】
段付孔２１内には弁部材３０が摺動自在に収容され、段付孔２１の大径部に開口端から弁座４０が嵌着される。弁部材３０は一方の先端部に球状の弁体３１が固定され、他端側には支持部３２が一体的に形成され、支持部３２の先端がシリンダ２０の外側（図２の右側）に延出するように配置され、連通孔２２に摺動自在に支持されている。弁部材３０の中間部には肩部３３が形成されており、この肩部３３とシリンダ２０の段付孔２１底部との間に付勢手段たるスプリング３４が張設される。尚、弁体３１は弁部材３０と一体的に形成することとしてもよい。
【００２４】
シリンダ２０の凹部２３には環状のシール部材６２が収容され、これにより弁部材３０の支持部３２が液密的摺動自在に支持されている。更に、凹部２３内に環状のスペーサ６３が収容され、これを介してシール部材６２を押圧するようにプラグ５０の凸部５１が凹部２３内に収容されている。このプラグ５０には弁部材３０の支持部３２を摺動自在に支持する案内孔５２及びこれに直交する連通孔５３が形成されており、支持部３２の先端が連通孔５３内に露呈するように配置されている。尚、シリンダ２０の外周には環状溝が形成され、この環状溝にも環状のシール部材６１が収容されている。
【００２５】
弁座４０の中央には連通孔４１が形成されており、段付孔２１の大径部に弁座４０が嵌着されると連通孔４１の開口端に弁体３１が着座し、スプリング３４によって着座方向に付勢され、連通孔４１を閉塞するように配置される。そして、シリンダ２０に弁部材３０、スプリング３４、弁座４０、シール部材６１，６２、スペーサ６３及びプラグ５０が装着された状態でハウジング１０の小径孔１１内に収容され、大径孔１２の内面に形成されたかしめ片１６によってかしめ固定される。これにより、シリンダ２０の段付孔２１内に第１の液室が形成され、この第１の液室はシリンダ２０の連通孔２５を介して常時リリーフポート１４に連通すると共に、弁部材３０が開弁位置にあるときには弁座４０の連通孔４１を介してパワーポート１３に連通可能である。また、大径孔１２及びプラグ５０の連通孔５３内に第２の液室が形成され、この第２の液室はリザーバポート１５を介して常時補助リザーバＰＲＳに連通している。
【００２６】
上記弁座４０の連通孔４１に対する弁体３１の着座部（本発明の第１の受圧部に相当）の面積、即ちパワーポート１３内のブレーキ液圧が付与される弁体３１の受圧面積と、支持部３２（本発明の第２の受圧部に相当）の断面積、即ち第２の液室内のブレーキ液圧が付与される支持部３２の受圧面積とが等しくなるように設定されている。具体的には、弁体３１のシール径と支持部３２の外径が等しい値に設定されている。これにより、段付孔２１内（第１の液室内）のブレーキ液圧、即ちマスタシリンダ液圧は弁部材３０に対し弁体３１が着座する方向とその逆方向に付与されるが、これらは等しい力となるので相殺される。尚、このときの連通孔５３内（第２の液室内）のブレーキ液圧は低圧（前述のように補助リザーバＰＲＳ内は数気圧）であり、パワーポート１３を介して付与される液圧ポンプＬＰの吐出ブレーキ液圧（１００気圧以上）に比し無視し得る値であり変動も小さい。従って、本実施形態においても大気圧開放の図３の態様と同等の圧力調整機能を確保することができる。
【００２７】
上記の構成になるリリーフ弁ＲＶによれば、パワーポート１３を介して液圧ポンプＬＰの吐出ブレーキ液圧が弁体３１に付与され、そのブレーキ液圧がスプリング３４の付勢力及び連通孔５３内のブレーキ液圧による第２の受圧部の圧力の合計を上回ると弁体３１が弁座４０から離座し、ブレーキ液は段付孔２１、連通孔２５、リリーフポート１４を介してマスタシリンダＭＣに戻される。このとき、弁部材３０に付与されるマスタシリンダ液圧は相殺されるので、弁部材３０はマスタシリンダ液圧の変化に影響されることなく、パワーポート１３からの液圧ポンプＬＰの吐出ブレーキ液圧に応じて開閉することとなる。
【００２８】
而して、リリーフ弁ＲＶは、ブレーキペダルＢＰが操作されマスタシリンダ液圧が高圧となっている場合にも、ブレーキペダルＢＰ非操作時と同様に作動することとなる。万一、弁部材３０の支持部３２をシールするシール部材６２が損傷し、ここからブレーキ液が漏洩した場合には、漏洩ブレーキ液によって小容量の補助リザーバＰＲＳが満杯となれば、それ以上マスタシリンダＭＣ内のブレーキ液が流出することはないので、マスタシリンダＭＣに必要なブレーキ液量を確保することができる。しかも、補助リザーバＰＲＳに貯蔵されたブレーキ液は、液圧ポンプＬＰの吐出ブレーキ液圧が所定値以下となった後、液圧ポンプＬＰによってマスタシリンダＭＣに戻すことができる。
【００２９】
上記の構成になる実施形態の作用を説明すると、通常のブレーキ作動時においては、各電磁弁は図１に示す常態位置にあり、電動モータＭは停止している。この状態でブレーキペダルＢＰが踏み込まれると、マスタシリンダＭＣの第１及び第２の圧力室ＭＣａ，ＭＣｂから、マスタシリンダ液圧が夫々車輪ＦＲ，ＲＬ側及び他の一対の車輪側の液圧系統に出力され、開閉弁ＳＣ１並びに開閉弁ＰＣ１及びＰＣ２を介して、ホイールシリンダＷｆｒ及びＷｒｌに供給される。
【００３０】
ブレーキ作動中にアンチスキッド制御に移行し、例えば車輪ＦＲ側がロック傾向にあると判定されると、図１に示すように開閉弁ＳＣ１が開位置、開閉弁ＳＣ２が閉位置とされ、この状態で開閉弁ＰＣ１が閉位置とされると共に、開閉弁ＰＣ３が開位置とされる。而して、ホイールシリンダＷｆｒは開閉弁ＰＣ３を介して補助リザーバＰＲＳに連通し、ホイールシリンダＷｆｒ内のブレーキ液が補助リザーバＰＲＳ内に流出し減圧される。
【００３１】
ホイールシリンダＷｆｒが緩増圧モードとなると、開閉弁ＰＣ３が閉位置とされると共に開閉弁ＰＣ１が開位置とされ、マスタシリンダＭＣからマスタシリンダ液圧が開位置の開閉弁ＰＣ１を介してホイールシリンダＷｆｒに供給される。そして、開閉弁ＰＣ１が断続制御され、ホイールシリンダＷｆｒ内のブレーキ液は増圧と保持が繰り返されてパルス的に増大し、緩やかに増圧される。ホイールシリンダＷｆｒに対し急増圧モードが設定されたときには、開閉弁ＰＣ２，ＰＣ３が閉位置とされた後、開閉弁ＰＣ１が開位置とされ、マスタシリンダＭＣからマスタシリンダ液圧が供給される。そして、ブレーキペダルＢＰが解放され、ホイールシリンダＷｆｒの液圧よりマスタシリンダ液圧の方が小さくなると、ホイールシリンダＷｆｒ内のブレーキ液が逆止弁ＣＶ１及び開位置の開閉弁ＳＣ１を介してマスタシリンダＭＣに戻り、そして低圧リザーバＬＲＳに戻る。このようにして、車輪毎に独立した制動力制御が行なわれる。
【００３２】
そして、トラクション制御に移行し、例えば駆動側の車輪ＲＬの加速スリップ防止制御が行なわれる場合には、開閉弁ＳＣ１が閉位置、開閉弁ＳＣ２が開位置とされて、ホイールシリンダＷｆｒに接続された開閉弁ＰＣ１が閉位置とされ、開閉弁ＰＣ２が開位置とされる。この状態で、電動モータＭによって液圧ポンプＬＰが駆動されると、非作動状態のマスタシリンダＭＣ、開位置の開閉弁ＳＣ２を介して低圧リザーバＬＲＳからブレーキ液が吸引されると共に、補助リザーバＰＲＳ内のブレーキ液が吸引され、開位置の開閉弁ＰＣ２を介して駆動輪側のホイールシリンダＷｒｌに加圧ブレーキ液が供給される。尚、開閉弁ＰＣ２が閉位置とされれば、ホイールシリンダＷｒｌの液圧が保持される。而して、ブレーキペダルＢＰが非操作状態であっても、例えば車輪ＲＬの加速スリップ防止制御時には、車輪ＲＬの加速スリップ状態に応じて開閉弁ＰＣ２，ＰＣ４の断続制御により、ホイールシリンダＷｒｌに対し、緩増圧、減圧及び保持の何れかの液圧制御モードが設定される。これにより、車輪ＲＬに制動力が付与されて回転駆動力が制限され、加速スリップが防止され、適切にトラクション制御を行なうことができる。
【００３３】
更に、車両の制動操舵制御時においては、例えば過度のオーバーステアを防止する場合には、これに対抗するモーメントを発生させる必要があり、この場合には或る一つの車輪のみに関し制動力を付与すると効果的である。即ち、車輪ＦＲ，ＲＬ側のブレーキ液圧系統においては、制動操舵制御時に開閉弁ＳＣ１が閉位置、開閉弁ＳＣ２が開位置とされると共に、電動モータＭが駆動され、液圧ポンプＬＰからブレーキ液が吐出される。そして、開閉弁ＰＣ１乃至ＰＣ４が適宜開閉制御され、ホイールシリンダＷｆｒ，Ｗｒｌの液圧が緩増圧、減圧又は保持され、他の車輪側のブレーキ液圧系統も含め、前後の車輪間の制動力配分が車両のコーストレース性を維持し得るように制御される。
【００３４】
何れの制御モードにおいても、液圧ポンプＬＰから吐出されるブレーキ液圧が所定値を超えたときには、前述のようにリリーフ弁ＲＶによって液圧ポンプＬＰの吐出ブレーキ液圧が所定値以下に制限される。このとき、リリーフ弁ＲＶは、マスタシリンダ液圧の変化に左右されることなく、液圧ポンプＬＰの吐出ブレーキ液圧が所定値を超えたときには確実にマスタシリンダＭＣにブレーキ液を戻すことができる。しかも、万一弁部材３０の支持部３２のシール部分が損傷し、ここからブレーキ液が漏洩してもマスタシリンダＭＣに必要なブレーキ液量を確保することができるので、このようなときでもマスタシリンダＭＣによる適切な制動作動を行なうことができる。
【００３５】
【発明の効果】
本発明は上述のように構成されているので以下の効果を奏する。即ち、本発明の車両の液圧制御装置は、補助リザーバ内のブレーキ液及びマスタシリンダ内のブレーキ液を吸い込みモジュレータを介してホイールシリンダに対し昇圧したブレーキ液を吐出する液圧ポンプを備えると共に、液圧ポンプの吐出ブレーキ液圧を受圧する第１の受圧部と、この第１の受圧部が受圧するブレーキ液圧に抗する方向にブレーキ液圧を受圧する第２の受圧部を有し、これら第１及び第２の受圧部の受圧面積が等しい弁部材を具備し、この弁部材に対する液圧ポンプの吐出ブレーキ液圧が所定値を超えたときに液圧ポンプからマスタシリンダへのブレーキ液の流れを許容する常閉の弁装置を備え、弁部材の第２の受圧部が補助リザーバ内のブレーキ液圧を受圧するように構成されているので、液圧ポンプの吐出ブレーキ液圧が所定値を超えたときには、マスタシリンダ液圧の変化に左右されることなく確実にマスタシリンダにブレーキ液を戻すことができると共に、万一弁部材の第２の受圧部のシール性が損なわれた場合にも、補助リザーバにブレーキ液が貯蔵されるのみであるので、マスタシリンダに必要なブレーキ液を確保することができる。
【００３６】
また、請求項２に記載の液圧制御装置においては、簡単な構造で弁装置を構成することができるので、安価な装置で、マスタシリンダ液圧の変化に左右されることなく確実にマスタシリンダにブレーキ液を戻すことができると共に、万一弁部材の支持部のシール性が損なわれた場合にも、マスタシリンダに必要なブレーキ液を確保することができる。
【図面の簡単な説明】
【図１】本発明の一実施形態に係る液圧制御装置を示す構成図である。
【図２】本発明の一実施形態におけるリリーフ弁を拡大して示す部分断面図である。
【図３】一般的な液圧制御装置に供する一般的なリリーフ弁の断面図である。
【符号の説明】
ＢＰ  ブレーキペダル
ＭＣ  マスタシリンダ
ＬＲＳ  低圧リザーバ
Ｍ  電動モータ
ＬＰ  液圧ポンプ
ＰＲＳ  補助リザーバ
ＣＶ１〜ＣＶ５  逆止弁
ＲＶ  リリーフ弁
ＳＣ１  第１の開閉弁，    ＳＣ２  第２の開閉弁
ＰＣ１〜ＰＣ４  開閉弁
ＥＣＵ  電子制御装置
Ｗfr，Ｗrl，Ｗfl，Ｗrr  ホイールシリンダ
ＦＲ，ＲＬ，ＦＬ，ＲＲ  車輪
１０  ハウジング
２０  シリンダ
３０  弁部材
４０  弁座
５０  プラグ
【図１】
0003948054.tif 000002
【図２】
0003948054.tif 000003
【図３】
0003948054.tif 000004